(57)【特許請求の範囲】
【請求項１】
ケーブルが挿通されるカバーケースと、
前記カバーケース内に導入されたケーブルの外周表面に洗浄水を噴射して雨水などの水滴、泥などの異物、または、ケーブル挿入用の滑剤を洗浄除去する前段洗浄ノズルと、
前記前段洗浄ノズルによる洗浄の後に残留する洗浄水の水滴、異物、または、滑剤をケーブルの外周表面から掻き取って掃き出すブラシ状部材と、
前記ブラシ状部材で掻き取られた後にケーブルの外周面に残留する水滴、異物、または、滑剤に洗浄水を噴射して洗浄除去する後段洗浄ノズルと、
ケーブルの外周表面に内周が当接する貫通孔を有するとともにこの貫通孔から外周までの半径方向に切断される切断面を備える端面ゴムを適数個組み合わせたものであって、これら切断面を交差させつつ何れも下側を向くようにした状態で、ケーブルに沿って並べて配置してなり、前記後段洗浄ノズルによる洗浄後にケーブルの外周表面に残留する水滴、異物、または、滑剤をケーブル外周表面から除去する除去部と、
を備えることを特徴とするケーブル洗浄装置。
【請求項２】
請求項１に記載のケーブル洗浄装置において、
前記前段洗浄ノズルの手前に設けられる前段隔壁と、
前記後段洗浄ノズルと前記除去部との間に設けられる後段隔壁と、
を備え、
前記前段洗浄ノズルおよび前記後段洗浄ノズルが噴射する洗浄水が、カバーケース、前段隔壁、および後段隔壁で仕切られる中空部から外部へ飛散を防止するとともに中空部内のブラシ状部材が濡れているように維持することを特徴とするケーブル洗浄装置。
【請求項３】
請求項１に記載のケーブル洗浄装置において、
前記前段洗浄ノズルの手前に設けられる前段隔壁と、
前記ブラシ状部材と前記後段洗浄ノズルとの間に設けられる中段隔壁と、
前記後段洗浄ノズルと前記除去部との間に設けられる後段隔壁と、
を備え、
前記前段洗浄ノズルが噴射する洗浄水により飛散する水滴、異物、または、滑剤が、カバーケース、前段隔壁、および中段隔壁で仕切られる第１中空部から外部へ飛散する事態を防止しつつケーブルを洗浄し、
カバーケース、中段隔壁、および後段隔壁で仕切られる第２中空部で後段洗浄ノズルから噴射される洗浄水を用いてケーブルを洗浄することを特徴とするケーブル洗浄装置。
【請求項４】
請求項１〜請求項３の何れか１項に記載のケーブル洗浄装置において、
前記前段洗浄ノズルによるケーブルの洗浄前に洗浄に最適な位置にケーブルを誘導するガイドを備え、
前記ガイドにより洗浄に最適な位置に誘導されたケーブルを前記前段洗浄ノズルが洗浄することを特徴とするケーブル洗浄装置。
【請求項５】
請求項１〜請求項４の何れか１項に記載のケーブル洗浄装置において、
前記ブラシ状部材は、ケーブルの半径方向に放射状に配置した複数のブラシであるか、または、円環状ブラシであり、ケーブルを軸として複数のブラシまたは円環状ブラシを回転させてケーブルの外周表面から掻き取って掃き出すことを特徴とするケーブル洗浄装置。
【発明の詳細な説明】
【０００１】
【発明の属する技術分野】
本発明は、洗浄水を噴射してケーブルに付着する水滴、異物、または、滑剤を除去するケーブル洗浄装置に関する。
【０００２】
【従来の技術】
長距離にわたってケーブルを敷設する場合、一般に、ケーブル送り装置を用いてケーブルを延線・敷設する。このようなケーブル敷設作業は、屋外や地中管路内という場所で行われる。屋外では、雨水などの水滴や泥、砂、土、塵埃などの異物がケーブルに付着することが多く、また、地中管路内でも、外部から侵入して堆積した泥などの異物、この泥にできる水たまりによる水滴、または地中管路内のケーブル挿入用の滑剤などがケーブルに付着することが多い。
【０００３】
従来は、このような異物・水滴・滑剤をぬれ雑巾・タオル・ウェスなどを用いて人力で拭き取っていた。
しかし、拭き取りにも拘わらずケーブルに残留した異物・水滴・滑剤のため、例えば、ケーブルに接触して送り駆動するゴム車輪状の送り部が異物による磨耗または水滴・滑剤による浸食で劣化する事態や、ケーブル送り用の歯車機構で異物が歯車に噛むことによる損傷または水滴・滑剤による錆びで劣化する事態などが発生していた。劣悪な環境下で使われることが多いケーブル送り装置の早期劣化を防止する必要があった。
【０００４】
このため、洗浄水でケーブルを洗浄してこれら異物・水滴・滑剤を除去したのちにケーブル送り装置を用いてケーブルを送ることが考えられる。しかし、洗浄水で濡れたケーブルによりケーブルを送ると、ケーブルに接触するゴム車輪状の送り部とケーブルとが滑ってケーブル送りができない事態や、洗浄水によりゴム車輪状の送り部が浸食劣化する事態や、また、ケーブル送り装置の歯車機構などが洗浄水により錆びて劣化が早まるという事態を引き起こすと予想される。このような洗浄水や雨水による水滴、泥など残留する異物、残留するケーブル挿入用滑剤を確実に除去し、後段のケーブル送り装置の劣化を回避したいという要請があった。
【０００５】
【発明が解決しようとする課題】
本発明は上記課題を解決するためになされたものであり、洗浄水を噴射してケーブルを洗浄した後に、洗浄水による水滴、泥など残留する異物、または、残留するケーブル挿入用の滑剤をケーブルから確実に除去してから送り出し、ケーブル送り装置でケーブルが滑る事態およびケーブル送り装置が劣化する事態を回避するケーブル洗浄装置を提供することを目的とする。
【０００６】
【課題を解決するための手段】
上述の課題を解決するため、請求項１に記載のケーブル洗浄装置は、
ケーブルが挿通されるカバーケースと、
前記カバーケース内に導入されたケーブルの外周表面に洗浄水を噴射して雨水などの水滴、泥などの異物、または、ケーブル挿入用の滑剤を洗浄除去する前段洗浄ノズルと、
前記前段洗浄ノズルによる洗浄の後に残留する洗浄水の水滴、異物、または、滑剤をケーブルの外周表面から掻き取って掃き出すブラシ状部材と、
前記ブラシ状部材で掻き取られた後にケーブルの外周面に残留する水滴、異物、または、滑剤に洗浄水を噴射して洗浄除去する後段洗浄ノズルと、
ケーブルの外周表面に内周が当接する貫通孔を有するとともにこの貫通孔から外周までの半径方向に切断される切断面を備える端面ゴムを適数個組み合わせたものであって、これら切断面を交差させつつ何れも下側を向くようにした状態で、ケーブルに沿って並べて配置してなり、前記後段洗浄ノズルによる洗浄後にケーブルの外周表面に残留する水滴、異物、または、滑剤をケーブル外周表面から除去する除去部と、
を備えることを特徴とする。
【０００７】
また、請求項２に記載のケーブル洗浄装置は、
請求項１に記載のケーブル洗浄装置において、
前記前段洗浄ノズルの手前に設けられる前段隔壁と、
前記後段洗浄ノズルと前記除去部との間に設けられる後段隔壁と、
を備え、
前記前段洗浄ノズルおよび前記後段洗浄ノズルが噴射する洗浄水が、カバーケース、前段隔壁、および後段隔壁で仕切られる中空部から外部へ飛散を防止するとともに中空部内のブラシ状部材が濡れているように維持することを特徴とする。
【０００８】
また、請求項３に記載のケーブル洗浄装置は、
請求項１に記載のケーブル洗浄装置において、
前記前段洗浄ノズルの手前に設けられる前段隔壁と、
前記ブラシ状部材と前記後段洗浄ノズルとの間に設けられる中段隔壁と、
前記後段洗浄ノズルと前記除去部との間に設けられる後段隔壁と、
を備え、
前記前段洗浄ノズルが噴射する洗浄水により飛散する水滴、異物、または、滑剤が、カバーケース、前段隔壁、および中段隔壁で仕切られる第１中空部から外部へ飛散する事態を防止しつつケーブルを洗浄し、
カバーケース、中段隔壁、および後段隔壁で仕切られる第２中空部で後段洗浄ノズルから噴射される洗浄水を用いてケーブルを洗浄することを特徴とする。
【０００９】
また、請求項４に記載のケーブル洗浄装置は、
請求項１〜請求項３の何れか１項に記載のケーブル洗浄装置において、
前記前段洗浄ノズルによるケーブルの洗浄前に洗浄に最適な位置にケーブルを誘導するガイドを備え、
前記ガイドにより洗浄に最適な位置に誘導されたケーブルを前記前段洗浄ノズルが洗浄することを特徴とする。
【００１０】
また、請求項５に記載のケーブル洗浄装置は、
請求項１〜請求項４の何れか１項に記載のケーブル洗浄装置において、
前記ブラシ状部材は、ケーブルの半径方向に放射状に配置した複数のブラシであるか、または、円環状ブラシであり、ケーブルを軸として複数のブラシまたは円環状ブラシを回転させてケーブルの外周表面から掻き取って掃き出すことを特徴とする。
【００１１】
【発明の実施の形態】
まず、本発明の第１実施形態のケーブル洗浄装置について説明する。
図１は第１実施形態のケーブル洗浄装置のＡ−Ａ線断面図、図２，図３は同じくブラシ状部材を説明するＢ−Ｂ線断面図、図４は同じく洗浄ノズルを説明するＣ−Ｃ線断面図、図５は端面ゴムの説明図である。以下、図１〜図５を用いて本発明の第１実施形態のケーブル洗浄装置について説明する。
【００１２】
本実施形態のケーブル洗浄装置のカバーケース１は、図１に示すように、ケーブル２を挿通可能とするように構成されている。このカバーケース１の前段には、ケーブル２を誘導するガイド３を備えている。このガイド３は、ガイドローラ３ａ，３ｂが回転自在となるように取り付けてある。ガイドローラ３ａ，３ｂは、ケーブル送り方向ａへ移動するケーブル２が所定位置を通過するようにケーブル２を誘導する。
【００１３】
このカバーケース１には前段隔壁４と後段隔壁５が設けられている。これら前段隔壁４と後段隔壁５とは、カバーケース１の中空部６と外部とを隔てる隔壁である。なお、図示しないものの、中空部６の中でも、例えばガイド３のようなケーブル誘導部を備え、ケーブル２がカバーケース１内の所定位置を通過するようにしても良い。
【００１４】
中空部６の中では、図４でも示すように、前段隔壁４に隣接するように前段洗浄ノズル７ａ，７ｂ，７ｃ，７ｄが設けられている。前段洗浄ノズル７ａ，７ｂ，７ｃ，７ｄは、四方から噴射するように配置されている。
また、同様に中空部６の中では、図４でも示すように、後段隔壁５に隣接して後段洗浄ノズル８ａ，８ｂ，８ｃ，８ｄが設けられている。後段洗浄ノズル８ａ，８ｂ，８ｃ，８ｄも同様に、四方から噴射するように配置されている。
なお、前段噴射ノズルや後段噴射ノズルのノズル数は四個に限ることなく、少なくとも３個以上あれば良い。
【００１５】
これら前段洗浄ノズル７ａ，７ｂ，７ｃ，７ｄと後段洗浄ノズル８ａ，８ｂ，８ｃ，８ｄとはホースを介してそれぞれ分流器９に連結されている。この分流器９は、ホースを介して圧縮ポンプ１０に連結され、圧縮ポンプ１０はタンク１１に連結されている。これら、タンク１１から前段洗浄ノズル７ａ，７ｂ，７ｃ，７ｄと後段洗浄ノズル８ａ，８ｂ，８ｃ，８ｄまでは洗浄水の流路が形成されている。
【００１６】
これら前段洗浄ノズル７ａ，７ｂ，７ｃ，７ｄと後段洗浄ノズル８ａ，８ｂ，８ｃ，８ｄとの間にはブラシ状部材１２が設けられている。ブラシ状部材１２の具体例として、図２に示すようなブラシ１２ａ，１２ｂ，１２ｃ，１２ｄを配置し、このブラシ１２ａ，１２ｂ，１２ｃ，１２ｄがケーブル２の表面の水滴、異物、または、滑剤を掻き落として掃き取るようにする。
また、ブラシ状部材の他の例として図３に示すような、例えばドーナツ状に植毛された円還状ブラシ１２ｅを配置し、この円還状ブラシ１２ｅがケーブル２の表面の水滴、異物、または、滑剤を掻き落として掃き取るようにする。
【００１７】
なお、図２の矢印で示すようにブラシ１２ａ，１２ｂ，１２ｃ，１２ｄが、また、図３の矢印で示すように円還状ブラシ１２ｅが回転してケーブル２の全表面に確実に当接するように構成しても良い。これらブラシ１２ａ，１２ｂ，１２ｃ，１２ｄや円還状ブラシ１２ｅの回動は操作者による手動式・モータ等を用いる機械式による動作の選択が可能である。このようにブラシ状部材１２は所望の形態を選択することができる。
【００１８】
圧縮ポンプ１０は、タンク１１から供給される洗浄水を高圧圧縮し、高圧圧縮した洗浄水を分流器９に供給する。分流器９は、４個の前段洗浄ノズル７ａ，７ｂ，７ｃ，７ｄ、または、４個の後段洗浄ノズル８ａ，８ｂ，８ｃ，８ｄそれぞれに洗浄水を分流供給する。前段洗浄ノズル７ａ，７ｂ，７ｃ，７ｄおよび後段洗浄ノズル８ａ，８ｂ，８ｃ，８ｄは、高圧圧縮された洗浄水をケーブル２へ噴射する。ケーブル２に付着する雨水・異物・滑剤などは、四方から噴射される洗浄水により取り除かれる。なお、詳しい洗浄動作については後述する。ケーブル２の雨水・異物・滑剤を取り除く際に洗浄水が飛散するが、上記のカバーケース１、前段隔壁４、および後段隔壁５により外部への洗浄水の飛散は遮断される。
【００１９】
カバーケース１の後段隔壁５に隣接して除去部の一具体例である端面ゴム１３ａ，１３ｂ，１３ｃが取り付けられている。なお、端面ゴム１３ａ，１３ｂ，１３ｃの固定手段は図示を省略してある。端面ゴム１３ａ，１３ｂ，１３ｃは耐水性・耐候性・耐食性があるゴムなどを利用して形成されており、洗浄水やケーブル挿入用の滑剤により劣化しないようになされている。端面ゴム１３ａ，１３ｂ，１３ｃは、図５（ａ），（ｂ）で示すように略糸巻き形状であって、貫通孔１３ｅと切断面１３ｆとが設けられている。端面ゴム１３ａ，１３ｂ，１３ｃの貫通孔１３ｅにケーブル２を挿通させるとき、単に貫通孔１３ｅにケーブル２を挿入しても良く、また、切断面１２ｆに指をいれて端面ゴム１３ａ，１３ｂ，１３ｃを開くように変形させた状態で挿入しても良い。
【００２０】
なお、端面ゴム１３ａ，１３ｂ，１３ｃを配置するときには配置を工夫する。図５（ｃ）は、端面ゴム１３ａ，１３ｂ，１３ｃを後段隔壁５側から眺めたものであるが、３個の切断面１３ｆは常に交差し、かつ、下側を向くように配置される。切断面１３ｆ近傍では切断個所がケーブル２に当接しないため、ケーブル２に水滴が残留する傾向があったが、切断面が交差するよう複数個の端面ゴム１３ａ，１３ｂ，１３ｃを配置したため、ある端面ゴムで残留した水滴を他の端面ゴムで確実に除去する。
【００２１】
なお、端面ゴム１３ａ，１３ｂ，１３ｃが固定手段から外れてケーブル２とともに後段のケーブル送り装置へ送られるという事態を防止するため、移動防止部材１４をカバーケース１に設けても良い。移動防止部材１４は、例えば、後段隔壁５と同様な形状をし、カバーケース１の開口を塞ぐように蓋状に構成されたものである。移動防止部材１４と端面ゴム１３ｃとが当接し、端面ゴム１３ａ，１３ｂ，１３ｃが移動するような事態を確実に防止する。
【００２２】
ケーブル洗浄装置では、ガイド３、ブラシ状部材１２、端面ゴム１３ａ，１３ｂ，１３ｃによりケーブル２の位置が決定される。先に説明した図示しないケーブル誘導部がある場合はこのケーブル誘導部もケーブルの位置を決定する。ケーブル２は、ブラシ状部材１２、４個の前段洗浄ノズル７ａ，７ｂ，７ｃ，７ｄおよび後段洗浄ノズル８ａ，８ｂ，８ｃ，８ｄの中央を通過してケーブル２が洗浄するようになされる。
【００２３】
続いて、ケーブル洗浄装置を用いるケーブル２の洗浄動作について説明する。洗浄動作を開始する前に、カバーケース１にケーブル２を挿通させて図１に示すような状態とする。端面ゴム１３ａ，１３ｂ，１３ｃの後段には図示しないケーブル送り装置が設置され、洗浄済みのケーブル２を用いてケーブル送りを行うようになされている。ケーブル洗浄動作を開始するとき、このケーブル送り装置のケーブル送り動作と圧縮ポンプ１０による洗浄水供給動作とを共に開始する。
【００２４】
まず、ケーブル２がガイド３のガイドローラ３ａ，３ｂに挟まれてケーブル２が所定位置を通過するように誘導された後にカバーケース１内に導入される。カバーケース１の前段隔壁４を通過したケーブル２は、前段洗浄ノズル７ａ，７ｂ，７ｃ，７ｄへ到達する。前段洗浄ノズル７ａ，７ｂ，７ｃ，７ｄから高圧力で噴射される洗浄水は、ケーブル２の表面を洗浄して水たまりなどの汚水や雨水である水滴、ケーブル２に強固に付着している泥や砂利等の異物、地中管路にケーブルを挿入する際に用いる滑剤の大半を予め除去する機能を有している。
【００２５】
この場合、水滴・滑剤の大半は洗浄・除去されるが強固に付着する泥・砂利等の異物は完全に除去できずに残留することがある。しかしながら、残留した異物は前段洗浄ノズル７ａ，７ｂ，７ｃ，７ｄによる洗浄水により充分濡らされて、後段で除去しやすくなされる。特に乾いた状態でケーブルに強固に付着していた泥などの場合には充分に濡れた状態となって除去されやすくなる。ケーブル２は、ブラシ１２ａ，１２ｂ，１２ｃ，１２ｄや円還状ブラシ１２ｅなどであるブラシ状部材１２を通過する。ブラシ状部材１２の毛がケーブル２や異物に当接して残留する異物を掻き取る。強固に付着した異物はケーブルから剥離して除去される。
【００２６】
なお、前段洗浄ノズル７ａ，７ｂ，７ｃ，７ｄと後段洗浄ノズル８ａ，８ｂ，８ｃ，８ｄとによりケーブル２が洗浄された後で飛散する洗浄水がブラシ状部材１２の前後から浴びせられるため、ブラシ状部材１２は常に洗浄されてブラシ状部材１２に付着した異物などが洗浄除去されるとともにブラシ状部材１２が充分濡れた状態となっている。このため、ブラシ状部材１２の洗浄能力を高いままに維持している。
【００２７】
ここで、ブラシ状部材１２が掻き取った異物がケーブル２に再び付着してしまうような場合もある。このような事態に対応するために、ケーブル２は、後段洗浄ノズル８ａ，８ｂ，８ｃ，８ｄを通過する。
後段洗浄ノズル８ａ，８ｂ，８ｃ，８ｄから高圧力で噴射される洗浄水は、ケーブル２の表面を洗浄して異物を完全に除去する。この時点でケーブルから異物・滑剤は完全に除去されて洗浄水による水滴のみが残っている。
【００２８】
洗浄水が噴射されて異物・滑剤が除去されたケーブル２は、図１の矢印ａで示すケーブル送り移動方向へ順次送られて、除去部の一具体例である端面ゴム１３ａ，１３ｂ，１３ｃ内を通過する。この際、端面ゴム１３ａ，１３ｂ，１３ｃの貫通孔１３ｅにケーブルの外周表面が当接して残留する洗浄水を確実に除去する。端面ゴム１３ａ，１３ｂ，１３ｃは、図１・図５で示すようにケーブル２の外周面に当接しており、洗浄水が残ることはない。
【００２９】
端面ゴム１３ａ，１３ｂ，１３ｃにより除去された洗浄水は、図５（ｃ）で示すように、切断面１３ｆを通過して矢印で示す下方へ水滴として垂れる。この水滴は、図示しない排水口から排水される。この場合、端面ゴム１３ａ，１３ｂ，１３ｃの切断面は交差するように配置されているため、ケーブル２の全ての外周に端面ゴムが確実に当接して、ケーブル２の全表面の洗浄水が確実に除去される。
【００３０】
なお、これら端面ゴム１３ａ，１３ｂ，１３ｃによっても洗浄水のみならず残留する異物・残留する滑剤などを取り除くことができる。しかしながら、端面ゴム１３ａ，１３ｂ，１３ｃは洗浄水のみ除去するようにするため、端面ゴム１３ａ，１３ｂ，１３ｃへ到達する前のケーブル２の表面から異物や滑剤を確実に除去して残留させないことが望ましい。
【００３１】
このようにする理由は、特に泥などの異物が端面ゴム１３ａ，１３ｂ，１３ｃの貫通孔１３ｆ内に入り込んだりすると、端面ゴム１３ａ，１３ｂ，１３ｃが押し広げられてケーブル２の外周に当接しなくなって洗浄水を除去する能力が低減するおそれがあるためである。したがって、噴射する洗浄水の圧力は、充分高圧となるように設定して異物や滑剤の残留を確実に防止する。ケーブル２が端面ゴム１３ａ，１３ｂ，１３ｃを通過した後には、洗浄水による水滴も除去される。このようにケーブル洗浄動作によりケーブル２から水滴・異物・滑剤の除去がなされることとなる。
【００３２】
続いて、本発明の第２実施形態のケーブル洗浄装置について説明する。
図６は第２実施形態のケーブル洗浄装置の断面図である。以下、図６を用いて本発明の第２実施形態のケーブル洗浄装置について説明する。第２実施形態では、第１実施形態のケーブル洗浄装置の各構成に加えて中段隔壁１５が追加され、カバーケース１・前段隔壁４・中段隔壁１５とで第１中空部１６が形成され、かつ、カバーケース１・中段隔壁１５・後段隔壁５とで第２中空部１７が形成されるものである。
【００３３】
第１中空部１６内には前段洗浄ノズル７ａ，７ｂ，７ｃ，７ｄ、および、ブラシ１２ａ，１２ｂ，１２ｃ，１２ｄや円還状ブラシ１２ｅなどであるブラシ状部材１２が配置されている。前段洗浄ノズル７ａ，７ｂ，７ｃ，７ｄにより洗浄され、かつ、ブラシ状部材１２により掻き取られる雨水・異物・滑剤は、第１中空部１６内を飛散するが第１中空部から外部へ散逸する事態は防止される。
そして、第１中空部１６から第２中空部１７へ移動するケーブル２には雨水・異物・滑剤は殆ど除去されており、残留するとしても第１中空部１６内で飛散した後に再度付着したような微細な雨水・異物・滑剤である。
第２中空部１７内では後段洗浄ノズル８ａ，８ｂ，８ｃ，８ｄが配置されている。第１中空部１６を通過したケーブル２に洗浄水を再度噴射し、ケーブル２に残留したわずかな雨水・異物・滑剤を確実に除去する。
【００３４】
このように前段隔壁４と後段隔壁５との間に中段隔壁１５を設けることによって、前段洗浄ノズル７ａ，７ｂ，７ｃ，７ｄおよびブラシ状部材１２により除去されて飛散する雨水・異物・滑剤を第１中空部１６内に留めておき、かつ、このような雨水・異物・滑剤が飛散していない第２中空部１７内で後段洗浄ノズル８ａ，８ｂ，８ｃ，８ｄを用いてケーブルを再度洗浄するようにした。
第１実施形態では、中空部６内に雨水・異物・滑剤が飛散しており、後段洗浄ノズル８ａ，８ｂ，８ｃ，８ｄによる洗浄後であっても雨水・異物・滑剤が付着する事態が希に生じていたが、第２実施形態ではそのような事態は回避され、ケーブル２は確実に洗浄される。
【００３５】
なお、第２実施形態において、図６でも示すように、ブラシ状部材１２と分流器９との間に中段隔壁１５を設けた実施形態を図示している。中段隔壁１５の位置を変更して、分流器９と後段洗浄ノズル８ａ，８ｂ，８ｃ，８ｄとの間に中段隔壁１５を設けても良い。中段隔壁１５は、ブラシ状部材１２と後段洗浄ノズル８ａ，８ｂ，８ｃ，８ｄとの間に設けられれば本発明の実施は可能である。
【００３６】
以上第１，第２実施形態について説明した。なお、第１，第２実施形態において、前段洗浄ノズル、後段除去ノズルおよび除去部は、同じカバーケース１に一体に設けられているとして説明したが、前段洗浄ノズルおよび後段除去ノズルが設けられるカバーケースと除去部が設けられるカバーケースとを別々に設けて分離・結合するケーブル洗浄装置としても良い。このような選択は適宜可能である。
【００３７】
また、第１，第２実施形態ではケーブル洗浄装置は横置きであることを想定して説明した。しかしながら、前段隔壁側を下側にし、かつ、後段隔壁側を上側にしてケーブル洗浄装置が縦置きであるとしても良い。ケーブル洗浄装置の横置き・縦置きの選択は、ケーブル送りの実状に応じて適宜選択される。
【００３８】
【発明の効果】
以上、本発明によれば、、洗浄水を噴射してケーブルを洗浄した後に、洗浄水による水滴、泥など残留する異物、または、残留するケーブル挿入用の滑剤をケーブルから確実に除去してから送り出し、ケーブル送り装置でケーブルが滑る事態およびケーブル送り装置が劣化する事態を回避するケーブル洗浄装置を提供することができる。
【図面の簡単な説明】
【図１】本発明の第１実施形態のケーブル洗浄装置のＡ−Ａ線断面図である。
【図２】本発明の第１実施形態のケーブル洗浄装置のブラシ状部材を説明するＢ−Ｂ線断面図である。
【図３】本発明の第１実施形態のケーブル洗浄装置のブラシ状部材を説明するＢ−Ｂ線断面図である。
【図４】本発明の第１実施形態のケーブル洗浄装置の洗浄ノズルを説明するＣ−Ｃ線断面図である。
【図５】本発明の第１実施形態のケーブル洗浄装置の端面ゴムを説明する説明図である。
【図６】本発明の第２実施形態のケーブル洗浄装置の断面図である。
【符号の説明】
１                                カバーケース
２                                ケーブル
３                                ガイド
３ａ，３ｂ                        ガイドローラ
４                                前段隔壁
５                                後段隔壁
６                                中空部
７ａ，７ｂ，７ｃ，７ｄ            前段洗浄ノズル
８ａ，８ｂ，８ｃ，８ｄ            後段洗浄ノズル
９                                分流器
１０                              圧縮ポンプ
１１                              タンク
１２                              ブラシ状部材
１２ａ，１２ｂ，１２ｃ，１２ｄ    ブラシ
１２ｅ                            円還状ブラシ
１３ａ，１３ｂ，１３ｃ            端面ゴム
１４                              移動防止部材
１５                              中段隔壁
１６                              第１中空部
１７                              第２中空部
【図１】
0004257761.tif 000002
【図２】
0004257761.tif 000003
【図３】
0004257761.tif 000004
【図４】
0004257761.tif 000005
【図５】
0004257761.tif 000006
【図６】
0004257761.tif 000007